(57)【要約】  【課題】既存の車両用空調装置における空気吹出口に多孔板を配設し、同多孔板を特有の形状とすることにより広角配風を行うことができる車両用空調装置を提供する。  【解決手段】ルーバ３の前方側の空気吹き出し口９に多孔板２を配設する。多孔板２には、ルーバ３から偏向された風を車室内に吹き出す複数の孔１２を形成し、同孔１２の開口率を、５５％〜６５％とする。また、多孔板２の板厚は、０．３ｍｍ〜０．８ｍｍの厚さに形成する。このように形成された多孔板２を空気吹き出し口に配設することで、ルーバ３で偏向された風を、多孔板２の孔１２を通過させることにより同孔１２により更に広角方向に偏向させることができる。  【選択図】図５
2006232192.tif 000002
【特許請求の範囲】
【請求項１】
車室内への空気吹出口に配設され、多数の通気用の孔を形成した多孔板と、
前記多孔板の内部に配設され、前記吹出口外方向へ空気を吹き出すルーバと、
を有する車両用空調装置において、
前記多孔板に形成された各孔のノズル長が、０．３〜０．８ｍｍであることを特徴とする車両用空調装置。
【請求項２】
前記多孔板の開口率が５５％〜６５％であることを特徴とする請求項１記載の車両用空調装置。
【請求項３】
前記多孔板に複数形成されたスリット状孔における短辺と長辺との比が、１：３〜１：８であることを特徴とする請求項１又は２記載の車両用空調装置。
【請求項４】
前記ルーバにより風向調整されて吹き出された空気の前記多孔板の孔に対する風軸角を、４０度以上としたことを特徴とする請求項１〜３のいずれかに記載の車両用空調装置。
【発明の詳細な説明】
【技術分野】
【０００１】
本発明は車両に搭載され、車室内に空気を吹き出すことのできる車両用空調装置に関する。
【背景技術】
【０００２】
一般に車両用空調装置は、ルーバの向きによって規定される角度によって、吹き出し口から吹き出される空気の向きが変えられている。このような車両用空調装置としては、特許文献１に記載されているような車両用風向調整装置などがある。
【０００３】
図７に示すように、前記車両用風向調整装置はインストルメントパネル２１内に配設され、インストルメントパネル２１の前方にはフロントウインドウパネル２２が後方に傾斜した状態で配されている。インストルメントパネル２１の上面には、空気を吹き出すための開口２３が形成され、開口２３にはインストルメントパネル２１の内部側から空調ダクト４が接続されている。
【０００４】
開口２３には、通気可能なパンチングメタル製のカバー２７が配設され、カバー２７の内部には８枚のルーバ２５ａ〜２５ｈが前後方向に並べて配設されている。各ルーバ２５ａ〜２５ｈは、車幅方向に長い構造で、車幅方向両端部の前端に突設された軸ピン２６を中心に、全体が下側に回動することができる。これにより、前後方向での角度が調整自在になっている。
【０００５】
カバー２７によって、開口２３の内部構造が隠されるため、見映を向上させている。そのため、カバー２７としては、通気可能な材質であれば良く、メッシュ等で形成することもできるとしている。
【特許文献１】特開２００３−２７６４２９号公報
【発明の開示】
【発明が解決しようとする課題】
【０００６】
特許文献１に記載されたカバー２７は、カバー２７によって覆われた開口２３の内部構造を外部から見えにくくすれば良い構造となっている。このため、カバー２７の板厚、カバー２７に形成する孔の開口率については、何も検討されていない。しかも、カバー２７を通過して吹き出される空気の風向きは、ルーバ２５ａ〜２５ｈによって規定される向きとなっている。
【０００７】
このため、特許文献１に記載されたような従来から用いられている車両用空調装置において広角配風を行わせるためには、開口幅をできるだけ広げなければならなかった。開口幅を広げるためには、空調装置の設置場所を広くする必要があるが、車室内におけるデザイン等の関係から空調装置の設置場所を広く確保することはできなかった。
【０００８】
本願発明者は、既存の配置スペースの中で車両用空調装置を配設しても、広角配風を行うことができる構成を鋭意研究し、その実用化のための開発を行った。その結果、空気吹出口に配設したカバーの孔の配置構成、同孔のノズル長（即ち、孔の裏面側から表面側までの孔の長さ）によって、広角配風を行えることを見出した。
【０００９】
本発明はかかる研究成果に基づいてなされたものであって、既存の車両用空調装置における空気吹出口に形状を限定した多孔板を配設することにより、広角配風を行わせることのできる車両用空調装置を提供する。
【課題を解決するための手段】
【００１０】
本願発明の課題は請求項１〜４に記載された各発明により達成することができる。
即ち、本願発明では請求項１に記載したように、車室内への空気吹出口に配設され、多数の通気孔を形成した多孔板と、前記多孔板の内部に配設され、前記吹出口外方向へ空気を吹き出すルーバと、を有する車両用空調装置において、前記多孔板に形成された各孔のノズル長が、０．３〜０．８ｍｍであることを最も主要な特徴となしている。
【００１１】
また、本願では請求項２に記載したように、多孔板の開口率を限定したことを主要な特徴となしている。
更に、本願発明では請求項３に記載したように、スリット形状の孔が形成された多孔板におけるスリット状孔の短辺と長辺との長さの比を限定したことを主要な特徴となしている。
【００１２】
更にまた、本願発明では請求項４に記載したように、吹き出された空気の多孔板の孔に対する風軸角を限定したことを主要な特徴となしている。
【発明の効果】
【００１３】
本願発明では、各孔のノズル長が、０．３〜０．８ｍｍである多孔板を空気吹出口に配設することにより、広角配風を行うためルーバによって与えられた空気の吹き出し角度よりも、更に広角に偏向させて空気を吹き出させることができる。
【００１４】
即ち、本願発明の多孔板を空気吹き出し口に配設することにより、ルーバによって与えられた空気の吹き出し角度が、各孔のノズル長の領域を通過して各孔のノズル部の端部から外部に吹き出されるときに、更に多孔板側へ偏向させることができる。
【００１５】
多孔板に対峙するルーバの向きとしては、各ルーバが水平方向に配設されていても、また各ルーバが垂直方向に配設されていても、どちらの場合であってもよく、多孔板における各孔のノズル長が、０．３〜０．８ｍｍであれば、ルーバから吹き出された空気を多孔板側へ偏向させることができる。
【００１６】
多孔板に形成された各孔のノズル長が、０．３ｍｍよりも短い場合には、空気の偏向効果を発揮させることがなく、また、０．８ｍｍよりも長い場合には、ノズル長の形成方向に指向してしまい、広角配風を行わせることができなくなる。このため、多孔板の開口率を５５％〜６５％とし、かつ前記多孔板に形成された各孔のノズル長を０．３〜０．８ｍｍとすることが、多孔板として最適な構成となっている。
【００１７】
特に、請求項２に記載したように、多孔板における開口率を５５％〜６５％とすることにより、多孔板から吹き出される空気を多孔板側へ偏向させるのを増長させることができる。開口率が６５％よりも大きな多孔板を用いた場合では、ルーバによって与えられた空気の吹き出し角度が、多孔板の孔を通過しても偏向されることはない。また、開口率が５５％よりも小さな多孔板を用いた場合では、多孔板の孔を通過する通過抵抗が増大し、風切り音の増大や吹き出し効率の低下を招いてしまうことになる。
【００１８】
また、請求項３に記載したように、スリット形状の孔が形成された多孔板においては、スリット状孔の縦横比を１：３〜１：８とすることにより、ルーバの傾斜角を甘くしても風がスリット状孔を通過することによって風向きを偏向させることができ、ルーバによる有効開口面積を下げることなく通気抵抗を低減することができる。また、風切り音の低減を行うことができ、しかも空調装置としての効率を向上させることができる。
【００１９】
更に、請求項４に記載したように、ルーバにより風向調整されて吹き出された空気の前記多孔板の孔に対する風軸角が、４０度以上となるようにすることにより、多孔板の孔による偏向作用をより効率的に行わせることができる。
【発明を実施するための最良の形態】
【００２０】
本発明の好適な実施の形態について、添付図面に基づいて以下において具体的に説明する。本願発明の車両用空調装置として、多孔板、ルーバ及び空調ダクトからなる要部断面構造を用いて説明するが、ルーバの構成、空調ダクトの構成等については、図示例に限定されるものではない。本願発明は、通常用いられている各種車両用空調装置に対して好適に適用することができるものである。
【実施例】
【００２１】
図１に示すように、パネル８内に車両用空調装置の一部である多孔板２、ルーバ３及び空調ケース６が配設されている。空調ケース６は、図示せぬ送風器等からの空気を空調ケース６に供給するダクトに接続している。多孔板２は、支持部材７を介して空調ケース６の空気吹き出し口９に支持固定されている。空調ケース６の空気吹き出し口９側の端部は、末広がり状に拡開した形状となっている。空調ケース６内には、リンク機構４により傾き角度が調整されるルーバ３が配設されている。リンク機構４は、操作ダイヤル５の回動により作動させることができ、ルーバ３の傾き角度を調整することができる。
【００２２】
尚、多孔板２の配置部位、空調ケース６及びルーバ３、同ルーバ３の傾き角度を調整する操作ダイヤル５、リンク機構４の構成は、本願発明の特有の構成ではなく、通常の車両用空調装置におけるこれらの配置構成を用いることができるものである。また、ルーバの角度が固定された車両用空調装置を用いることも、ルーバの角度が可動のものであっても、本願発明を有効に適用することができるものである。
【００２３】
多孔板２は、図２に示すように複数の孔１２が形成され、多孔板２の板厚は、０．３ｍｍ〜０．８ｍｍの厚さに形成されている。また、多孔板２における開口率は、５５％〜６５％としている。孔１２のノズル部１２ａの長さは、多孔板２の板厚と同じ長さに形成されている。孔１２のノズル部１２ａの長さを多孔板２の板厚と同じ長さに形成せず、図３に示すように、多孔板２から突起を形成するようにして孔１２のノズル部１２ａを形成することもできる。
【００２４】
本願発明においては、孔１２のノズル部１２ａの長さが、０．３ｍｍ〜０．８ｍｍに形成されていることが必要であって、ノズル部１２ａの長さが、０．３ｍｍ〜０．８ｍｍである孔を形成する形成方法については、限定されるものではない。
【００２５】
図３に示す多孔板２は、金属板をプレスにて打ち抜いてバリが突出している状態を模式的に示したものである。孔１２のノズル部１２ａの高さｈは、バリにより突出した高さ０．３ｍｍ〜０．８ｍｍとすることができる。このときには、多孔板２の板厚ｔは特に規定されるものではなく、多孔板２としての強度を保つことができ、ノズル部１２ａの高さよりも低いものを用いることができる。
【００２６】
多孔板２に形成する孔の形状としては、丸形状、多角形形状、網目状の形状、図５に示すように縦横比を有するスリット状孔１４等のように各種形状の孔を用いることができる。また、多孔板２としては、パンチングメタルのように金属材にて構成することも、網、布、合成樹脂等により構成することもできる。
【００２７】
図１の空調ケース６の後方側に、図示せぬダクトを介して接続した送風器等により送り出された風は、ルーバ３によって所望の向きに偏向され、多孔板２の各孔１２に供給される。図４は、肉厚ｔの多孔板２の断面図を示している。図４において、ルーバ３によって所望の向きに偏向された風は、実線のように孔１２に向かって供給される。このとき孔１２のノズル部１２ａに対する風軸角Θとしては、風の方向と孔１２の断面部に垂直な一点鎖線とのなす角度として表すことができる。
【００２８】
風軸角Θを４０度以上とすることにより、孔１２から出てくる風の向きを図４の点線で示すように、風軸角Θよりも広く偏向させることができる。特に、図１に示すように、空調ケース６の形状によって、広角配風を行いたい多孔板２の端部部位に形成した孔１２の風軸角は、広角配風を特に行わなくても良い多孔板２の中心部等における孔１２の風軸角よりも大きくすることができる。本願発明においては、多孔板２の広角配風を行いたい部位に形成した孔１２に対する風軸角Θを、４０度以上とすることが望ましい構成となる。
【００２９】
風軸角Θと多孔板２の板厚との関係を図６に示している。図６では、吹き出し口から吹き出される風の風速を通常空調装置として用いられる風速に設定し、孔に対する風軸角Θを１０度、４０度５０度の３つの角度条件で風を孔に吹き付け、多孔板として板厚が０．５ｍｍのパンチングメタルを用いて実験を行った結果を示している。実験では、多孔板としてのパンチングメタルの枚数を変更して、孔からの吹き出したときの風の角度変化を調べた。
【００３０】
図６から分かるように、孔に吹き付けたときの風軸角Θが１０度のときには、広角方法への指向性が生じず、逆に孔に吹き付けたときの風軸角Θよりも小さな角度で孔から吹き出されているのが分かる。
【００３１】
また、孔に吹き付けたときの風軸角Θが４０度及び５０度のときには、パンチングメタルを１枚用いて板厚を０．５ｍｍとしたときには、４０度又は５０度の風軸角で孔に風を吹き付けると、孔から吹き出す風の角度は、風軸角よりも大きな角度に偏向されている。即ち、多孔板の孔によって吹き出し角度を更に広角にすることができる。このとき、多孔板の板厚を１ｍｍ以上に厚くしても、孔から吹き出す風の向きは逆に狭まってきて、吹き出し角度を広角にすることができない。
【００３２】
このように、多孔板の板厚、即ち多孔板に形成した孔のノズル長と風軸角を調整することで、孔から吹き出される風の角度を、孔に風を吹き付けたときの風軸角よりも大きな角度にすることができる。しかも、従来の車両用空調装置の空気吹き出し口に本願発明の多孔板を配設した空調装置とすることで、容易に広角配風を行わせることができる。
【００３３】
また、図５に示すようなスリット状の孔１４を有した多孔板２においては、孔１４の開口における縦・横比を１：３〜１：８とすることで、ルーバの傾斜角を甘くしても、孔１４から吹き出された風を広角方向に偏向させることができる。
【００３４】
本願発明において、多孔板の開口率を５５％〜６５％とすることでより効率的に偏向を行わせることができる。開口率を６５％よりも大きくすると、風向方向に対して広角への偏向を行わせることができなくなり、開口率を５５％よりも小さくすると、孔における通風抵抗が増大し吹き出し効率を低下させる。しかも風切り音が増大し、空調装置としては実用に適さないものとなる。
【００３５】
このように、本願発明により、空気吹き出しの可動範囲が狭い空調装置においても、より大きな配風範囲を確保することができる。また、吹き出し開口面と吹き出し角度が鋭角で指向性の悪い条件で本願発明を使用しても、より大きな配風範囲を確保することができる。更に、拡散ベントと組み合わせて使用することにより、更に大きな配風範囲を確保することができる。
【００３６】
多孔板によって多孔内を覆うことができるので、多孔内に配設したルーバ等が外部から見難くなり、空調装置に見映えが向上する。しかも、ルーバに直接手が触れなくなるので、ルーバの強度を落とすことができる。これらのことから車両用空調装置のコストダウンを図ることができるとともに、吹き出し口を大きくしなくても既存の大きさでより広範に空気を吹き出すことができ、省スペース化を図ることができる。
【産業上の利用可能性】
【００３７】
ウインドシールドガラスなどに乾燥した空気を吹き出して、ガラス面の曇りを晴らす空気吹き出し口である出フグリル等に、本願発明を適用することができる。
【図面の簡単な説明】
【００３８】
【図１】車両用空調装置の要部概略側断面図である。（実施例）
【図２】多孔板の斜視図である。（実施例）
【図３】多孔板の孔形状における他の要部断面図である。（実施例）
【図４】孔の作動状態説明図である。（実施例）
【図５】多孔板の他の斜視図である。（実施例）
【図６】風軸角と多孔板の板厚との関係を示す表である。（実施例）
【図７】空調装置の要部概略側断面図である。（実施例）
【符号の説明】
【００３９】
１          車両用空調装置
２          多孔板
３          ルーバ
４          リンク機構
５          操作ダイヤル
６          空調ケース
８          パネル
９          空気吹き出し口
１２          孔
１２ａ        ノズル部
１４          スリット状孔
１４ｂ        ノズル部
２１          インストルメントパネル
２２          フロンとウィンドウパネル
２３          開口
２４          空調ダクト
２５ａ〜ｈ    ルーバ
２６          軸ピン
２７          カバー
【図１】
2006232192.tif 000003
【図２】
2006232192.tif 000004
【図３】
2006232192.tif 000005
【図４】
2006232192.tif 000006
【図５】
2006232192.tif 000007
【図６】
2006232192.tif 000008
【図７】
2006232192.tif 000009